(57)【特許請求の範囲】
【請求項１】
表示部へのタッチ操作を検出可能なタッチ検出手段と、
特定の表示項目に対するタッチ操作を受け付ける第一の状態と、前記特定の表示項目に対するタッチ操作を受け付けない第二の状態とを含む複数の状態のいずれかに切り替える切替手段と、
前記第一の状態の場合と、前記第二の状態の場合のいずれにおいても前記特定の表示項目を前記表示部に表示するように制御する表示制御手段と、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わず、前記特定の処理を行うように制御する制御手段と
を有することを特徴とする電子機器。
【請求項２】
前記制御手段は、前記第二の状態の場合に、前記特定の表示項目の表示される領域へのタッチ操作を受け付けたことに応じて、該タッチ操作を受け付けた位置に応じた前記特定の処理を行うように制御することを特徴とする請求項１に記載の電子機器。
【請求項３】
前記表示制御手段は、前記第一の状態の場合と前記第二の状態の場合とで前記特定の表示項目の表示形態を変えるように制御することを特徴とする請求項１または２に記載の電子機器。
【請求項４】
前記特定の表示項目に対応する処理は、前記特定の表示項目の示す設定項目の設定を変更する処理であることを特徴とする請求項１乃至３の何れか１項に記載の電子機器。
【請求項５】
撮像部により得られた撮像画像が前記表示部へ表示されており、
前記制御手段は、前記撮像画像のうち、前記タッチ操作が行われた位置の被写体に基づいて前記特定の処理を行うように制御することを特徴とする請求項１乃至４の何れか１項に記載の電子機器。
【請求項６】
前記特定の処理は、オートフォーカス、自動露出、オートホワイトバランスの少なくともいずれかであることを特徴とする請求項５に記載の電子機器。
【請求項７】
前記表示部へのタッチ操作を受け付け可能なタッチ有効状態と、前記表示部へのタッチ操作を受け付けないタッチ無効状態とを切り替えるタッチ切替手段とをさらに有し、
前記制御手段は、前記タッチ無効状態へと切り替えられた場合には、タッチ操作を受け付けても前記特定の処理を行わず、前記第一の状態であっても前記特定の表示項目へのタッチ操作を受け付けないように制御することを特徴とする請求項１乃至６の何れか１項に記載の電子機器。
【請求項８】
前記制御手段は、前記第一の状態の場合には前記表示部に前記特定の表示項目とは異なるタッチ操作を受け付け可能なタッチボタンを表示し、前記第二の状態の場合には前記タッチボタンを表示しないように制御することを特徴とする請求項１乃至７の何れか１項に記載の電子機器。
【請求項９】
前記タッチボタンは、設定画面を表示させるためのタッチボタン、前記表示部に表示される画像を拡大するためのタッチボタン、撮影指示をタッチ操作で受け付けるか否かを切り替えるためのタッチボタンのいずれかを含むことを特徴とする請求項８に記載の電子機器。
【請求項１０】
前記特定の項目は、シャッタースピード、絞り、ＩＳＯ感度、露出補正のいずれかを含むことを特徴とする請求項１乃至９の何れか１項に記載の電子機器。
【請求項１１】
前記所定の領域は、前記表示部のうち、端の領域を含まない中央の領域であることを特徴とする請求項１乃至１０の何れか１項に記載の電子機器。
【請求項１２】
前記特定の表示項目は、前記表示部の辺に沿った位置に表示されることを特徴とする請求項１乃至１１の何れか１項に記載の電子機器。
【請求項１３】
前記切替手段は、前記表示部とは異なる位置に設けられた単一操作部材への操作で前記第一の状態と前記第二の状態とを含む複数の状態のいずれかに切替可能であることを特徴とする請求項１乃至１２の何れか１項に記載の電子機器。
【請求項１４】
前記切替手段は、前記第一の状態に対応する第一の表示モードと、前記第二の状態に対応する第二の表示モードと、第三の表示モードを含む、当該電子機器の設定内容または動作状態を表す情報表示の項目数が異なる複数の表示モードのいずれかに切り替えることを特徴とする請求項１乃至１３の何れか１項に記載の電子機器。
【請求項１５】
前記第一の表示モードと、前記第二の表示モードを含む複数の表示モードごとに、表示する表示項目を設定する設定手段を有し、
前記切替手段は前記複数の表示モードのうちいずれかに切り替えることを特徴とする請求項１４に記載の電子機器。
【請求項１６】
前記設定手段は、さらに前記複数の表示モードごとに前記特定の表示項目を表示する場合に前記第一の状態で表示するか、前記第二の状態で表示するかを設定可能であることを特徴とする請求項１５に記載の電子機器。
【請求項１７】
表示部へのタッチ操作を検出可能なタッチ検出手段と、
特定の項目の設定値を示す特定の表示項目に対するタッチ操作を受け付ける第一の状態と、前記特定の表示項目に対するタッチ操作を受け付けない第二の状態とを含む複数の状態のいずれかに切り替える切替手段と、
前記第一の状態の場合と、前記第二の状態の場合のいずれにおいても前記特定の表示項目を前記表示部に表示するように制御する表示制御手段と、
前記特定の表示項目の設定値を変更可能な変更手段と、
前記変更手段により前記特定の表示項目の設定値が変更されたことに応じて、前記特定の表示項目の表示形態を変更し、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わないように制御する制御手段と
を有することを特徴とする電子機器。
【請求項１８】
表示部へのタッチ操作を検出可能なタッチ検出手段と、
特定の表示項目に対するタッチ操作を受け付ける第一の状態と、前記特定の表示項目に対するタッチ操作を受け付けない第二の状態とを含む複数の状態のいずれかに切り替える切替手段と、
前記第一の状態の場合と、前記第二の状態の場合のいずれにおいても前記特定の表示項目を前記表示部に表示するように制御する表示制御手段と、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わないように制御する制御手段とを有し、
前記表示制御手段は、前記第一の状態の場合には前記表示部に前記特定の表示項目とは異なるタッチ操作を受け付け可能なタッチボタンを表示し、前記第二の状態の場合には前記タッチボタンを表示しないように制御する
ことを特徴とする電子機器。
【請求項１９】
表示部へのタッチ操作を検出可能なタッチ検出ステップと、
特定の表示項目に対するタッチ操作を受け付ける第一の状態と、前記特定の表示項目に対するタッチ操作を受け付けない第二の状態とを含む複数の状態のいずれかに切り替える切替ステップと、
前記第一の状態の場合と、前記第二の状態の場合のいずれにおいても前記特定の表示項目を前記表示部に表示するように制御する表示制御ステップと、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わず、前記特定の処理を行うように制御する制御ステップと
を有することを特徴とする電子機器の制御方法。
【請求項２０】
表示部へのタッチ操作を検出可能なタッチ検出ステップと、
特定の項目の設定値を示す特定の表示項目に対するタッチ操作を受け付ける第一の状態と、前記特定の表示項目に対するタッチ操作を受け付けない第二の状態とを含む複数の状態のいずれかに切り替える切替ステップと、
前記第一の状態の場合と、前記第二の状態の場合のいずれにおいても前記特定の表示項目を前記表示部に表示するように制御する表示制御ステップと、
前記特定の表示項目の設定値を変更可能な変更ステップと、
前記変更ステップにおいて前記特定の表示項目の設定値が変更されたことに応じて、前記特定の表示項目の表示形態を変更し、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わないように制御する制御ステップと
を有することを特徴とする電子機器の制御方法。
【請求項２１】
表示部へのタッチ操作を検出可能なタッチ検出ステップと、
特定の表示項目に対するタッチ操作を受け付ける第一の状態と、前記特定の表示項目に対するタッチ操作を受け付けない第二の状態とを含む複数の状態のいずれかに切り替える切替ステップと、
前記第一の状態の場合と、前記第二の状態の場合のいずれにおいても前記特定の表示項目を前記表示部に表示するように制御する表示制御ステップと、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わないように制御する制御ステップとを有し、
前記表示制御ステップは、前記第一の状態の場合には前記表示部に前記特定の表示項目とは異なるタッチ操作を受け付け可能なタッチボタンを表示し、前記第二の状態の場合には前記タッチボタンを表示しないように制御する
ことを特徴とする電子機器の制御方法。
【請求項２２】
コンピュータを、請求項１乃至１８のいずれか１項に記載された電子機器の各手段として機能させるためのプログラム。
【請求項２３】
コンピュータを、請求項１乃至１８のいずれか１項に記載された電子機器の各手段として機能させるためのプログラムを格納したコンピュータが読み取り可能な記録媒体。
【発明の詳細な説明】
【技術分野】
【０００１】
本発明は、電子機器およびその制御方法に関し、特にタッチ操作可能な表示部において項目を表示する技術に関する。
【背景技術】
【０００２】
特定の処理を行う位置を指定したり、アイコン等の表示物を選択する場合に、位置を指定するタッチを受け付ける領域と、アイコンを選択するタッチを受け付ける領域とを分けることがある。特許文献１には、タッチシャッターを受け付けるタッチ領域とアイコンの表示領域とを分け、タッチ領域にタッチされると、タッチアイコンに誤ってタッチされないように、タッチアイコンを非表示にしてタッチを受け付けないようにすることが開示されている。また、デジタルカメラやスマートホン等のタッチ可能な範囲が限られたタッチパネル（画面）において、アイコンを表示したり非表示にしたりすることがある。特許文献２では、上書き表示オンの指令をするとタッチ操作を受け付ける操作釦のある操作映像画面がＤＶＤメニュー画面に重畳表示され、上書き表示オフの指令をすると操作映像画面が非表示になり、操作釦へのタッチ操作が行えなくなることが開示されている。
【先行技術文献】
【特許文献】
【０００３】
【特許文献１】特開２０１３−１７０８８号公報
【特許文献２】特開２００４−２１２８５７号公報
【発明の概要】
【発明が解決しようとする課題】
【０００４】
限られた大きさのタッチパネルにおいて、特許文献１のようにタッチ領域とアイコンの表示領域とを分けても、タッチ領域にタッチする前に誤ってアイコンをタッチしてしまった場合には、アイコンの機能が実行されてしまう可能性がある。そこで、特許文献１のアイコンを、特許文献２のようにしてタッチ操作可能な操作ボタン（操作映像画面）の表示と非表示とを切り替えるようにすることが考えられる。ユーザが操作映像画面を非表示にして操作釦へのタッチ操作をできなくすると、誤って操作釦をタッチし、ユーザの意図しない処理が行われることが無いが、操作釦の表示内容を確認することもできない。一方でユーザが操作釦の表示内容を確認しながらその他の操作をタッチでするために操作映像画面を表示させると、操作釦の表示内容の確認はできるが、誤って操作釦をタッチし、意図しない処理が行われる可能性がある。
【０００５】
本発明は、上記の課題に鑑み、情報表示の内容を確認できるようにしつつ、タッチ操作をする際にユーザの意図しない処理が行われる可能性を低減する電子機器の提供を目的とする。
【課題を解決するための手段】
【０００６】
上記目的を達成するために、本発明の電子機器は、表示部へのタッチ操作を検出可能なタッチ検出手段と、特定の表示項目に対するタッチ操作を受け付ける第一の状態と、前記特定の表示項目に対するタッチ操作を受け付けない第二の状態とを含む複数の状態のいずれかに切り替える切替手段と、前記第一の状態の場合と、前記第二の状態の場合のいずれにおいても前記特定の表示項目を前記表示部に表示するように制御する表示制御手段と、前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わず、前記特定の処理を行うように制御する制御手段とを有することを特徴とする。
【発明の効果】
【０００７】
本発明によれば、情報表示の内容を確認できるようにしつつ、タッチ操作をする際にユーザの意図しない処理が行われる可能性を低減することができる。
【図面の簡単な説明】
【０００８】
【図１】（ａ）、（ｂ）本実施形態の構成を適用可能な装置の一例としてのデジタルカメラの外観図
【図２】本実施形態の構成を適用可能な装置の一例としてのデジタルカメラの構成例を示すブロック図
【図３】撮影情報表示設定の処理を示すフローチャート
【図４】（ａ）〜（ｅ）撮影情報表示設定に関する表示画面例
【図５】（ａ）〜（ｄ）各パターンにおける編集画面例
【図６】撮影情報表示の処理を示すフローチャート
【図７】タッチ操作に関する処理を示すフローチャート
【図８】（ａ）〜（ｃ）ライブビュー画面表示例
【発明を実施するための形態】
【０００９】
以下、図面を参照して本発明の好適な実施形態を説明する。
【００１０】
図１（ａ）、（ｂ）に本発明の撮像装置の一例としてのデジタルカメラの外観図を示す。図１（ａ）はデジタルカメラ１００の前面斜視図であり、図１（ｂ）はデジタルカメラ１００の背面斜視図である。図１において、表示部２８は画像や各種情報を表示する表示部である。シャッターボタン６１は撮影指示を行うための操作部である。モード切替スイッチ６０は各種モードを切り替えるための操作部である。端子カバー４０は該部機器との接続ケーブルとデジタルカメラ１００とを接続する接続ケーブル等のコネクタ（不図示）を保護するカバーである。
【００１１】
メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。
【００１２】
Ｉｎｆｏボタン６８は、表示部２８に表示する情報表示を最大４つのパターン（組み合わせ、セット）を順々に表示するように切り換えるボタン（単一操作部材）であり、例えばパターン１の表示中にＩｎｆｏボタン６８を押下するとパターン２に切り替わる。それぞれのパターンにおいて表示する情報表示の組み合わせを設定することができ、ユーザは、撮影状況に応じて好適な情報表示へと切り替えることができる。なお、４つのパターンのうち、どのパターンを表示するか非表示にするかを設定することができるので、例えば２パターンや３パターンを切り替えるようにすることもできる。
【００１３】
十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。
【００１４】
ＬＶボタン７６は操作部７０に含まれ、メニューボタン６７においてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００１５】
接眼ファインダ１６は後述するレンズユニット１５０を通して得た被写体の光学像の焦点や構図の確認を行うための覗き込み型のファインダである。蓋２０２は記録媒体２００を格納ひたスロットの蓋である。グリップ部９０は、ユーザがデジタルカメラ１００を構えた際に右手で握りやすい形状とした保持部である。
【００１６】
図２は、本実施形態によるデジタルカメラ１００の構成例を示すブロック図である。
【００１７】
図２において、レンズユニット１５０は、交換可能な撮影レンズを搭載するレンズユニットである。
【００１８】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００１９】
ＡＥセンサー１７は、レンズユニット１５０、クイックリターンミラー１２を通しピント板１３上に結像した被写体の輝度を測光する。
【００２０】
焦点検出部１１（ＡＦセンサー）は、クイックリターンミラー１２を介して入射する像を撮像しシステム制御部５０にデフォーカス量情報を出力する位相差検出方式のＡＦセンサーである。システム制御部５０は前記デフォーカス量情報に基づいてレンズユニット１５０を制御し、位相差ＡＦを行う。
【００２１】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００２２】
撮影者は、ペンタプリズム１４とファインダ１６を介して、ピント板１３フォーカシングスクリーン上に結像した像を観察することで、レンズユニット１５０を通して得た被写体の光学像の焦点状態や構図の確認が可能となる。
【００２３】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。シャッター１０１は絞り機能を備えるシャッターである。
【００２４】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２６】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２７】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２８】
システム制御部５０は、デジタルカメラ１００全体を制御する。前述した不揮発性メモリ５６に記録されたプログラムを実行することで、後述する本実施形態の各処理を実現する。システムメモリ５２は、システム制御部５０の動作用の定数、変数、不揮発性メモリ５６から読み出したプログラム等を展開し、ＲＡＭが用いられる。また、システム制御部はメモリ３２、Ｄ／Ａ変換器１９、表示部２８等を制御することにより表示制御も行う。
【００２９】
システムタイマー５３は各種制御に用いる時間や、内蔵された時計の時間を計測する計時部である。
【００３０】
モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００３１】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３３】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３４】
操作部７０は、ユーザからの操作を受け付ける入力部としての各種操作部材である。操作部７０には、タッチ操作を受け付け可能なタッチパネル７０ａと少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００３５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３６】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３７】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３８】
なお操作部７０の一つとして、表示部２８に対する接触を検知可能（タッチ検出可能）なタッチパネル７０ａ（表示部２８と重畳して設けられる）を有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作、あるいは状態を検出できる。
【００３９】
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００４０】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４１】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００４２】
図３は、撮影情報表示設定の処理を示すフローチャートを示している。図３を用いて、撮影情報表示設定の処理について説明する。この処理は、不揮発性メモリ５６に記録されたプログラムをシステムメモリ５２に展開してシステム制御部５０が実行することで実現する。なお、この処理は、デジタルカメラ１００に電源が入り、メニュー画面が開かれると開始する。また、以下の処理ではタッチ操作が有効に設定されているものとして説明する。
【００４３】
Ｓ３０１では、システム制御部５０は、撮影情報表示設定の表示が選択されたか否かを判定する。撮影情報表示設定は、図４（ａ）に示すように、メニュー画面のセットアップ（Ｓｅｔ  ｕｐ）タブに含まれている。図４は、撮影情報表示設定に関する表示画面を示しており、図４（ａ）はメニュー画面を、図４（ｂ）〜（ｅ）は、切り替え設定画面を示している。図４（ｂ）の表示例４０５は図５（ａ）、図４（ｃ）の表示例４０６は図５（ｂ）、図４（ｄ）の表示例４０７は図５（ｃ）、図４（ｅ）の表示例４０８は図５（ｄ）の編集画面と対応している。このように、図４（ａ）の撮影情報表示設定の項目が選択されたと判定した場合は、Ｓ３０２へ進み、そうでない場合は、Ｓ３０８へ進む。
【００４４】
Ｓ３０２では、システム制御部５０は、切替設定画面を表示し、カーソル移動がされたか否かを判定する。カーソル移動は、十字キー７４の上下ボタンへの操作や、各パターンを示すアイコン４０２ａ〜４０２ｄのいずれかへのタッチ操作によって行うことができる。パターンには、図４（ｂ）〜（ｅ）に示すアイコン４０２ａ〜４０２ｄの４つのパターンがあり、後述するＬＶ画面においてＩｎｆｏボタン６８の押下でパターン１〜パターン４（もしくは画面１〜画面４）を順番に表示部２８に表示するように切替可能である。アイコン４０２ａ〜４０２ｄのいずれかにカーソルが移動すると、図４（ｂ）〜（ｅ）に示すように割り当てられたカーソルに対応する切替設定画面（表示例４０５〜表示例４０８）が表示される。カーソルを移動させて、表示例を見ながらユーザはどのパターン（表示モード）にどのような情報表示設定がされているか否か（表示される表示項目の状態）をより分かりやすく認識することができる。また、表示例を見ながら後述する表示、非表示を切り替えるパターンの選択や、編集をするパターンの選択をすることができる。カーソル移動がされたと判定した場合は、Ｓ３０３へ進み、そうでない場合は、Ｓ３０８へ進む。また、カーソル移動があった場合には、カーソルの表示される位置（重畳して表示されるアイコンの位置）を変え、さらに表示例を切り替える。例えば、表示例の切り替えは、図４（ｂ）〜（ｅ）の表示例４０５〜４０８の切り替えを指し、順にカーソルの当てられたパターンに表示例を切り替える。
【００４５】
Ｓ３０３では、システム制御部５０は、Ｓ３０２にカーソルが当てられたパターン（選択パターン）のパターン表示ＯＮ／ＯＦＦの切り替えがされたか否かを判定する。パターン１を非表示（ＯＦＦ）にする場合には、図４（ｂ）のパターン１を示すアイコン４０２ａのようにチェックマークを外せばよく、表示（ＯＮ）にするにはチェックマークを付ければよい。図４（ｂ）のようにパターン１が非表示になると、ＬＶ画面においてＩｎｆｏボタン６８によって切り替わるパターンの数は３つになる。パターン表示の切り替え、及びチェックマークの表示・非表示の切り替えは、カーソル４０９が当てられた状態でのアイコン４０２ａへのタッチ、もしくはＳＥＴボタン７５の押下によって行うことができる。パターン表示ＯＮ／ＯＦＦの切り替えがされたと判定した場合は、Ｓ３０４へ進み、そうでない場合は、Ｓ３０７へ進む。
【００４６】
Ｓ３０４では、システム制御部５０は、選択パターン表示がＯＮからＯＦＦに切り替えられたかを判定する。ＯＮからＯＦＦに切り替えられたと判定した場合は、Ｓ３０５へ進み、そうでない場合は、Ｓ３０６へ進む。
【００４７】
Ｓ３０５では、システム制御部５０は、選択パターンはＩｎｆｏボタン６８が押下されても表示されない非表示パターンであることをシステムメモリ５２に記憶すると共に、カーソルのあるアイコンのチェックマークを非表示とする。ユーザが設定変更していない初期設定の状態では、全てのパターンが表示されるものとしてシステムメモリ５２に記憶されている。
【００４８】
Ｓ３０６では、システム制御部５０は、選択パターンはＩｎｆｏボタン６８が押下されたら表示される表示パターンであることをシステムメモリ５２に記憶すると共に、カーソルのあるアイコンにチェックマークを表示する。
【００４９】
Ｓ３０７では、システム制御部５０は、画面編集が選択されたか否かを判定する。画面編集は、図４（ｂ）のアイコン４０１（ＩＮＦＯ．画面編集）へのタッチ、もしくはＩｎｆｏボタン６８の押下である。画面編集が選択されたと判定した場合は、Ｓ３０８へ進み、そうでない場合は、Ｓ３０２へ戻る。
【００５０】
Ｓ３０８では、システム制御部５０は、撮影情報表示設定を終了するか否かを判定する。撮影情報表示設定を終了すると判定した場合は、撮影情報表示設定を終了し、そうでない場合は、Ｓ３０１へ戻る。撮影情報表示設定は、図４（ｂ）〜（ｅ）の設定完了であるＯＫを示すアイコン４０３または、設定を取り消しするキャンセルを示すアイコン４０４へのタッチ、またはカーソル移動後のＳＥＴボタン７５の押下により終了することができる。ＯＫを選択した場合には、設定した内容（システムメモリ５２に記憶されている設定内容）が不揮発性メモリ５６に記憶されるが、キャンセルを選択した場合には設定内容は変更されない。
【００５１】
Ｓ３０９では、システム制御部５０は、選択パターンの設定状態を不揮発性メモリ５６から読み出して、システムメモリ５２に展開する。
【００５２】
Ｓ３１０では、システム制御部５０は、編集画面を表示部２８に表示する。図５（ａ）〜（ｄ）には、各パターンにおける編集画面の表示例を示す。図５（ａ）はパターン１、（ｂ）はパターン２、（ｃ）はパターン３、（ｄ）はパターン４の編集画面である。図５（ａ）〜（ｄ）において、アイコン５０１〜アイコン５０５は各パターンにおいて表示する情報の種別を選択肢として表示したものでる。アイコン５０１は基本撮影情報、アイコン５０２は詳細撮影情報、アイコン５０３はタッチボタン、アイコン５０４はヒストグラム、アイコン５０５は水準器を示している。
【００５３】
Ｓ３１１では、システム制御部５０は、基本撮影情報の表示のＯＮとＯＦＦの切り替えがされたか否かを判定する。アイコン５０１〜アイコン５０５の示す各情報表示のＯＮとＯＦＦは、各アイコンへのタッチ或いは所望のアイコンにカーソルをあてた状態でのＳＥＴボタン７５の押下で切り替えることができる。図５（ａ）では、アイコン５０１の示す基本撮影情報のみにチェックマークがついており、パターン１の編集例である表示例５０９のように基本撮影情報のみが表示される。基本撮影情報は、後述するタッチボタンがＯＮにならない限りはタッチ可能なアイコン（タッチ可能な表示項目）ではなく、タッチ操作を受け付けない情報表示（ガイド）として表示される。タッチ操作を受け付けない情報表示とは、タッチ操作をしても対応する処理が行われない表示項目のことである。基本撮影情報の表示のＯＮとＯＦＦの切り替えがされたと判定した場合は、Ｓ３１２へ進み、そうでない場合は、Ｓ３１３へ進む。
【００５４】
Ｓ３１２では、システム制御部５０は、基本撮影情報の表示に関する（ＯＮまたはＯＦＦの）設定情報をシステムメモリ５２に記憶する。
【００５５】
Ｓ３１３では、システム制御部５０は、詳細撮影情報の表示のＯＮとＯＦＦの切り替えがされたか否かを判定する。図５（ｄ）では、アイコン５０３の示す詳細撮影情報にチェックマークがついており、パターン４の編集例である表示例５１２のように詳細撮影情報が表示される。詳細撮影情報の表示のＯＮとＯＦＦの切り替えがされたと判定した場合は、Ｓ３１４へ進み、そうでない場合は、Ｓ３１５へ進む。
【００５６】
Ｓ３１４では、システム制御部５０は、詳細撮影情報の表示に関する（ＯＮまたはＯＦＦの）設定情報をシステムメモリ５２に記憶する。
【００５７】
Ｓ３１５では、システム制御部５０は、タッチボタンの表示のＯＮとＯＦＦの切り替えがされたか否かを判定する。図５（ｂ）では、アイコン５０３の示すタッチボタンにのみチェックマークがついており、パターン２の編集例である表示例５１０のようにタッチボタンのみが表示される。タッチボタンは後述するＬＶ画面においてはタッチ操作を受け付け可能なタッチボタンとして表示される。なお、図５（ｂ）の編集画面の表示例５１０においては、タッチ可能であるタッチボタンであることを示す表示を囲うような表示形態で表示されるが、設定中のパターンにおける表示例を示すものであるので、実際にはタッチ操作は受け付け可能ではない。また、図５（ｃ）では、アイコン５０１の示す基本撮影情報とアイコン５０３の示すタッチボタンにチェックマークがついており、表示例５１１のように表示がされる。つまり、図５（ｂ）で示したタッチボタンの他に、基本撮影情報のうち一部の表示（シャッタースピード、絞り、ＩＳＯ感度）はタッチボタンとして表示され、残りの表示（モード、枚数、電池残量）はタッチ操作を受け付けない情報表示（ガイド）として表示される。タッチボタンの表示のＯＮとＯＦＦの切り替えがされたと判定した場合は、Ｓ３１６へ進み、そうでない場合は、Ｓ３１７へ進む。
【００５８】
Ｓ３１６では、システム制御部５０は、タッチボタンの表示に関する（ＯＮまたはＯＦＦの）設定情報をシステムメモリ５２に記憶する。
【００５９】
Ｓ３１７では、システム制御部５０は、ヒストグラムの表示のＯＮとＯＦＦの切り替えがされたか否かを判定する。図５（ｄ）では、アイコン５０４の示すヒストグラムにチェックマークがついており、パターン４の編集例である表示例５１２のようにヒストグラムが表示される。ヒストグラムの表示のＯＮとＯＦＦの切り替えがされたと判定した場合は、Ｓ３１８へ進み、そうでない場合は、Ｓ３１９へ進む。
【００６０】
Ｓ３１８では、システム制御部５０は、ヒストグラムの表示に関する（ＯＮまたはＯＦＦの）設定情報をシステムメモリ５２に記憶する。
【００６１】
Ｓ３１９では、システム制御部５０は、水準器の表示のＯＮとＯＦＦの切り替えがされたか否かを判定する。図５（ｄ）では、アイコン５０５の示す水準器にチェックマークがついており、パターン４の編集例である表示例５１２のように水準器が表示される。水準器の表示のＯＮとＯＦＦの切り替えがされたと判定した場合は、Ｓ３２０へ進み、そうでない場合は、Ｓ３２１へ進む。
【００６２】
Ｓ３２０では、システム制御部５０は、タッチボタンの表示に関する（ＯＮまたはＯＦＦの）設定情報をシステムメモリ５２に記憶する。
【００６３】
Ｓ３２１では、システム制御部５０は、編集終了であるか否かを判定する。編集終了である場合には、Ｓ３２２へ進み、そうでない場合は、Ｓ３１１へ戻る。編集の終了は、図５（ａ）〜（ｄ）の設定完了であるＯＫを示すアイコン５０７または、設定を取り消しするキャンセルを示すアイコン５０８へのタッチ、またはカーソル移動後のＳＥＴボタン７５の押下により行うことができる。編集終了であると判定した場合は、Ｓ３２２へ進み、そうでない場合は、Ｓ３１１へ戻り、編集を継続することができる。
【００６４】
Ｓ３２２では、システム制御部５０は、Ｓ３２１において行われた操作がアイコン５０７（ＯＫ）の選択か、アイコン５０８（キャンセル）の選択であったかを判定する。設定完了を示すアイコン５０７の選択であったと判定した場合は、Ｓ３２３へ進み、そうでない場合は、Ｓ３０１へ戻る。キャンセルが選択された場合には、Ｓ３１１〜Ｓ３２０において編集された設定内容は不揮発性メモリ５６に記憶されない。
【００６５】
Ｓ３２３では、システム制御部５０は、選択されたパターンとＳ３１１〜Ｓ３２０で設定された設定内容とを対応づけて不揮発性メモリ５６に記憶する。ＬＶ画面においてＩｎｆｏボタン６８が押下された場合には、Ｓ３２３で記憶された設定情報を読み出すことにより、順番に各パターンの情報表示をすることができる。各パターンには、表示される項目数や動作状態などの情報表示の内容を変えて設定することができるので、ユーザは参照したい情報の種類に応じて、様々な組み合わせで情報表示の設定をすることができる。
【００６６】
次に、図６を用いて情報表示の処理について説明する。この処理は、不揮発性メモリ５６に記録されたプログラムをシステムメモリ５２に展開してシステム制御部５０が実行することで実現する。なお、この処理は、デジタルカメラ１００に電源が入ると開始する。
【００６７】
Ｓ６０１では、システム制御部５０は、撮影モードに切り替えられたか否かを判定する。撮影モードには、モード切替スイッチ６０によって切替可能であり、再生モードの場合に再生ボタン７９を押下することによっても切り替えることができる。撮影モードに切り替えられたと判定した場合には、Ｓ６０２へ進み、そうでない場合は、Ｓ６０３へ進む。
【００６８】
Ｓ６０２では、システム制御部５０は、図８（ａ）〜（ｂ）に示すようにライブビュー画面８１１（撮像画像）を表示部２８に表示する。図８は、Ｉｎｆｏボタン６８の押下によって切替可能な表示部２８における各情報表示例を示す図であり、図８（ａ）はタッチ可能なアイコンがない場合、（ｂ）はタッチ可能なアイコンがある場合を示している。図８（ｃ）は、ＡＦ範囲及びタッチボタン反応領域を示すための説明図である。図８（ｃ）に示すように、タッチボタン反応領域はタッチパネルの辺に沿って設けられ、アイコンも辺に沿って表示される。
【００６９】
Ｓ６０３では、システム制御部５０は、再生モードにおける画像の再生処理やメニュー画面におけるメニュー表示や設定処理等を行う。
【００７０】
Ｓ６０４では、システム制御部５０は、現在設定中のパターンと、前述の撮影情報表示設定で設定された設定中のパターンの設定状態をシステムメモリ５２（不揮発性メモリ５６から各パターンの設定状態を読み込み済み）から読み込む。
【００７１】
Ｓ６０５では、システム制御部５０は、読み込んだ設定状態において基本撮影情報がＯＮであるか否かを判定する。基本撮影情報は図５（ａ）のパターン１、図５（ｃ）のパターン３に示すような設定状態の場合にＯＮである。一方で、図５（ｂ）のパターン２に示すような設定状態の場合にはＯＦＦである。基本撮影情報がＯＮであと判定された場合には、Ｓ６０６へ進み、そうでない場合は、Ｓ６０９へ進む。
【００７２】
Ｓ６０６では、システム制御部５０は、読み込んだ設定状態においてタッチボタンがＯＮであるか否かを判定する。タッチボタンは図５（ｂ）のパターン２、図５（ｃ）のパターン３に示すような設定状態の場合にＯＮである。一方で、図５（ａ）のパターン１に示すような設定状態の場合にはＯＦＦである。タッチボタンがＯＮであると判定された場合には、Ｓ６０７へ進み、そうでない場合は、Ｓ６０８へ進む。
【００７３】
Ｓ６０７では、システム制御部５０は、図８（ｂ）に示すように、シャッタースピードを示すタッチボタン８０７、絞りを示すタッチボタン８０８、ＩＳＯ感度を示すタッチボタン８０９を表示する。すなわち、タッチ操作を受け付け可能に表示項目（タッチボタンがＯＦＦの場合には情報表示（ガイド）として表示された項目）を表示する。さらに、ガイド８０１に示す、その他の基本撮影情報を、タッチ操作を受け付けない表示形態で表示する。また、タッチシャッターボタンを示すタッチボタン８０５、拡大ボタンを示すタッチボタン８０６、Ｑボタンを示すタッチボタン８０４を、タッチ操作を受け付け可能な表示形態で表示する。
【００７４】
Ｓ６０８では、システム制御部５０は、図８（ａ）に示すように、基本撮影情報をガイド８０１とガイド８０２に示すように表示部２８に表示する。ガイド８０１は、タッチボタンがＯＮの場合（Ｓ６０７）にも、タッチボタンがＯＦＦの場合（Ｓ６０８）の場合にも、タッチ操作を受け付けないガイドであるので表示形態が変わらない。物理部材であるダイヤルの回転で設定されるような項目や、電池や撮影可能枚数等の状態を示すガイドはタッチＯＮ、ＯＦＦの設定に関わらず、タッチでの設定変更等の操作ができない項目とし、同じ表示形態で表示してもよい。また、タッチボタンがＯＮの場合に表示されるタッチボタンの示す各項目の設定値や設定状態と、タッチボタンがＯＦＦの場合に表示されるガイド８０２の示す各項目の設定値や設定状態とはそれぞれ同じである。図８（ｂ）のタッチボタン８０７〜８０９の示す各項目の設定値や設定状態を変えないままＩｎｆｏボタン６８を押下すると、各タッチボタンの表示内容がそのままタッチでの操作ができない状態でガイドとして表示される。また、各項目（ガイドまたはタッチボタン）の表示される位置はタッチＯＮ、ＯＦＦの場合で同じである。タッチＯＮ、ＯＦＦで同じ位置に項目（ガイドまたはタッチボタン）を表示するので、あるガイドを確認した後に設定変更しようとした場合に、設定変更するガイドに対応するタッチボタンを探さなくてもタッチＯＮに切り替えた後すぐに設定変更できる。
【００７５】
Ｓ６０９では、システム制御部５０は、Ｓ６０６と同様に、読み込んだ設定状態においてタッチボタンがＯＮであるか否かを判定する。タッチボタンがＯＮであると判定された場合には、Ｓ６１０へ進み、そうでない場合は、Ｓ６１１へ進む。
【００７６】
Ｓ６１０では、システム制御部５０は、図８（ｂ）で示したように、タッチシャッターボタンを示すタッチボタン８０５、拡大ボタンを示すタッチボタン８０６、Ｑボタンを示すタッチボタン８０４を、タッチ操作を受け付け可能な表示形態で表示する。ただし、このとき基本撮影情報はＯＦＦになっているので、図８（ｂ）にあるようなタッチボタン８０７〜タッチボタン８０９は表示しない。
【００７７】
Ｓ６１１では、システム制御部５０は、詳細撮影情報がＯＮであるか否かを判定する。詳細撮影情報がＯＮであると判定した場合は、Ｓ６１２へ進み、そうでない場合は、Ｓ６１３へ進む。
【００７８】
Ｓ６１２では、システム制御部５０は、図８（ａ）、（ｂ）のガイド８０３のように詳細撮影情報を表示部２８に表示する。
【００７９】
Ｓ６１３では、システム制御部５０は、ヒストグラムがＯＮであるか否かを判定する。ヒストグラムがＯＮであると判定した場合は、Ｓ６１４へ進み、そうでない場合は、Ｓ６１５へ進む。
【００８０】
Ｓ６１４では、システム制御部５０は、ヒストグラムを表示部２８に表示する。ヒストグラムは、図４（ｅ）の表示例４０８に示したグラフ４１１（ガイド）のように表示する。
【００８１】
Ｓ６１５では、システム制御部５０は、水準器がＯＮであるか否かを判定する。水準器がＯＮであると判定した場合は、Ｓ６１６へ進み、そうでない場合は、Ｓ６１７へ進む。
【００８２】
Ｓ６１６では、システム制御部５０は、水準器を表示部２８に表示する。水準器は、図４（ｅ）の表示例４０８に示した指標４１０（ガイド）のように表示する。
【００８３】
Ｓ６１７では、システム制御部５０は、Ｉｎｆｏボタン６８の押下により表示部２８に表示する情報表示のパターン切替がされたか否かを判定する。パターン切替がされたと判定した場合は、Ｓ６０４へ進み、そうでない場合は、Ｓ６１８へ進む。パターン切替によっては、図３で説明したパターンの表示の切り替えをすることができる。例えば、パターン１ではアイコン５０３の示すタッチボタンをＯＦＦに、パターン２ではタッチボタンをＯＮに設定した場合に、パターン１からパターン２への切り替えをすると、タッチボタンのＯＦＦとＯＮを切り替えることができる。言い換えれば、パターン１でもパターン２でも基本撮影情報の表示が設定されている場合には、パターン切替により、基本撮影情報を、タッチを受け付けないガイドとして表示させたり、タッチを受け付けるタッチボタンとして表示させたりすることができる。このように、パターン切替によって、タッチボタンとして表示するか（第一の状態）、情報表示をガイドとして表示するか（第二の状態）を切り替えることはできる。しかし、パターン切替によるガイドとタッチボタンの切り替えをしても、タッチ操作に応じた処理を行うか否かを設定するタッチ操作の有効無効の設定は切り替わらない。すなわち、タッチ操作を有効としている場合に、タッチボタンの設定をＯＦＦにすると、タッチボタンの設定がＯＮの場合に表示されるタッチボタンへタッチによって対応する機能が実行されないが、ＡＦ位置の設定等のその他のタッチ操作は有効のままである。
【００８４】
Ｓ６１８では、システム制御部５０は、情報表示の処理を終了する操作が行われたか否かを判定する。情報表示の処理は、再生モードへの切り替えや、メニュー画面の表示、電源のＯＦＦ等により行われる。情報表示の処理を終了する操作が行われたと判定した場合は、情報表示の処理を終了し、そうでない場合には、Ｓ６１９へ進む。
【００８５】
Ｓ６１９では、システム制御部５０は、タッチパネル７０ａ（表示部２８）へのタッチ操作が行われたか否かを判定する。タッチ操作が行われたと判定した場合には、Ｓ６２０へ進み、図７において説明するタッチ操作に関する処理を行い、そうでない場合には、Ｓ６０１に戻る。
【００８６】
Ｓ６２０に関する処理は、図７のタッチ操作に関する処理を示すフローチャートを用いて説明する。この処理は、不揮発性メモリ５６に記録されたプログラムをシステムメモリ５２に展開してシステム制御部５０が実行することで実現する。
【００８７】
Ｓ７０１では、システム制御部５０は、図６のＳ６１９で検出したタッチ操作のタッチ座標を取得する。
【００８８】
Ｓ７０２では、システム制御部５０は、タッチボタン反応領域であるか否かを判定する。タッチボタン反応領域は、図８（ｃ）に示すタッチボタン反応領域８０４ｔ〜タッチボタン反応領域８０９ｔのうち、タッチボタン８０４〜タッチボタン８０６が表示されている場合には、タッチボタン反応領域８０４ｔ〜タッチボタン反応領域８０６ｔである。さらにタッチボタン８０７〜タッチボタン８０９も表示されている場合には、タッチボタン反応領域８０４ｔ〜タッチボタン反応領域８０６ｔに加えてタッチボタン反応領域８０７ｔ〜タッチボタン反応領域８０９ｔもタッチボタン反応領域となる。タッチボタンが表示されていない場合には、タッチボタン反応領域がないため、Ｓ７０２の判定を行わずに、Ｓ７０５へと進む。Ｓ７０１で取得したタッチ座標がタッチボタン反応領域に含まれる場合には、Ｓ７０３へ進み、そうでない場合は、Ｓ７０５へ進む。
【００８９】
Ｓ７０３では、システム制御部５０は、Ｓ７０２でタッチを検出したタッチボタン反応領域からタッチ位置を離すタッチアップがされたか否かを判定する。タッチアップが検出されたと判定された場合には、Ｓ３０４へ進み、そうでない場合は、処理を終了する。タッチしたタッチボタン反応領域以外のタッチボタン反応領域へとタッチ位置を移動したとしても、Ｓ７０４で後述するタッチボタンに対応する処理を行わない。また、タッチボタン反応領域へのタッチ後に、タッチボタン反応領域以外へのタッチ位置を移動したとしてもＳ７０６やＳ７０７で後述するＡＦ処理は行わない。
【００９０】
Ｓ７０４では、システム制御部５０は、図６のＳ６１９において検出されたタッチ操作でタッチしたタッチボタンに対応する処理を実行する。Ｑボタン（タッチボタン８０４）がタッチされると、撮影に関する項目の設定変更を受け付けるクイック設定画面へと遷移する。タッチシャッターボタン（タッチボタン８０５）がタッチされると、タッチシャッター設定のＯＮ／ＯＦＦを切り替えることができる。タッチシャッター設定がＯＮの場合にはライブビュー画面上（タッチボタン反応領域を除く）でのタッチによって、タッチ位置に応じたタッチＡＦの指示と撮影指示とをすることができる。なお、タッチシャッター設定がＯＦＦであっても、タッチＡＦは行われる。拡大ボタン（タッチボタン８０６）がタッチされると、ライブビューの拡大表示の倍率を変更できる。シャッタースピードを示すタッチボタン８０７がタッチされると、シャッタースピード値の設定画面に遷移する。絞りを示すタッチボタン８０８がタッチされると、絞り値の設定画面に遷移する。ＩＳＯ感度を示すタッチボタン８０９がタッチされると、ＩＳＯ値の設定画面に遷移する。さらに、シャッタースピード、絞り値、ＩＳＯ感度のそれぞれの設定画面において、タッチ操作及び／または操作部７０に含まれる操作部材への操作に応じて各設定値を設定／変更できる。このようにタッチボタンが表示されると、タッチ操作で容易に項目の設定変更を行うことができる。
【００９１】
Ｓ７０５では、システム制御部５０は、タッチ位置がＡＦ範囲内であるか否かを判定する。ＡＦ範囲は図８（ｃ）に示すＡＦ範囲８１０の内側であり、かつタッチボタン反応領域とは重ならない領域である。ＡＦ範囲８１０は、タッチした位置にある被写体に合焦するようにより精度の高いＡＦ処理を行うことのできる範囲を示している。ＡＦ範囲８１０の外側にある被写体をタッチした場合には、最も近いＡＦ範囲内の位置（にある被写体）へ合焦するようにＡＦ処理を行う。タッチボタンが表示されていない領域であれば、ガイドが表示されていたとしてもＡＦ処理のためのタッチ操作が可能である。例えば、タッチボタンを表示している図８（ｂ）のタッチボタン８０８の領域にタッチしてもタッチＡＦは行われない。しかし、タッチボタンを表示していない図８（ａ）のガイド８０２のうち、図８（ｂ）のタッチボタン８０８と同じ領域に対してタッチすればタッチＡＦが行われる。すなわち、タッチボタンを表示した場合には、タッチボタンへのタッチ操作が可能となり、タッチボタンをＯＦＦにした場合には、ガイドを表示しつつＡＦ処理を行う位置としてユーザがタッチ可能な範囲や、タッチシャッターを指示できる範囲が広くなる。タッチ位置がＡＦ範囲内であると判定された場合は、Ｓ７０６へ進み、そうでない場合は、Ｓ７０７へ進む。
【００９２】
Ｓ７０６では、システム制御部５０は、タッチ位置でＡＦ処理を行う。
【００９３】
Ｓ７０７では、システム制御部５０は、タッチ位置から近いＡＦ範囲の位置へＡＦ処理をする。このようにＡＦ処理をすることで、よりユーザの意図に沿った位置へのＡＦ処理をすることができる。また、このとき、ユーザに合焦したい被写体がＡＦ範囲の内側へ写るようにフレーミングを促すガイド等を表示するようにしてもよい。なお、タッチシャッターがＯＮでない場合にはＳ７０６またはＳ７０７ではＡＦ処理を行わずに、シャッターボタン６１での撮影準備指示がされたことに応じてＡＦ処理をしてもよい。すなわち、Ｓ７０６またはＳ７０７においては、ＡＦ処理をする位置を選択し、シャッターボタン６１が押下されたことに応じて選択された位置へＡＦ処理し撮影を行ってもよい。
【００９４】
Ｓ７０８では、システム制御部５０は、動画モードであるか否かを判定する。動画モードへは、モード切替スイッチ６０により切り替えることができる。動画モードであると判定した場合は、Ｓ７０９へ進み、そうでない場合は、Ｓ７１２へ進む。
【００９５】
Ｓ７０９では、システム制御部５０は、タッチ位置を移動するタッチムーブが行われたか否かを判定する。タッチムーブが行われたと判定した場合には、Ｓ７１０へ進み、そうでない場合は、Ｓ７１１へ進む。
【００９６】
Ｓ７１０では、システム制御部５０は、タッチムーブが行われたことにより移動したタッチ値の座標を取得する。
【００９７】
Ｓ７１１では、システム制御部５０は、タッチを離す操作であるタッチアップが行われたか否かを判定する。タッチアップが行われたと判定した場合は、タッチ操作による処理を終了し、図６のＳ６０１へと戻り、そうでない場合には、Ｓ７０５へと戻り移動したタッチ位置でのＡＦ処理を行う。
【００９８】
Ｓ７１２〜Ｓ７１４の処理は、静止画モードの場合の処理である。
【００９９】
Ｓ７１２では、システム制御部５０は、タッチシャッターの設定がＯＮになっているか否かを判定する。タッチシャッターはメニュー画面における設定、もしくはタッチボタン８０５へのタッチ操作に切り替えることができる。タッチシャッターの設定がＯＮになっている場合には、Ｓ７１３へ進み、そうでない場合は、Ｓ７１４へ進む。
【０１００】
Ｓ７１３では、システム制御部５０は、静止画の撮影処理を行う。
【０１０１】
Ｓ７１４では、システム制御部５０は、Ｓ７１１と同様に、タッチを離す操作であるタッチアップが行われたか否かを判定する。タッチアップが行われたと判定した場合は、タッチ操作による処理を終了し、図６のＳ６０１へと戻り、そうでない場合には、タッチアップがされるまで待つ。
【０１０２】
なお、図６のフローチャートの説明では省略しているが、ＬＶ画面を表示している際（Ｓ６０１がＹｅｓである間）は、シャッターボタン６１の半押しがなされれば撮影準備処理を行う。さらに、シャッターボタン６１の全押しがなされれば撮影処理を行う。撮影準備処理では、タッチ操作によりＡＦ位置の設定が行われていれば、設定されているＡＦ位置でＡＦ処理が行われる。また、撮影処理におけるシャッタースピード、絞り、ＩＳＯ感度は、前述のタッチボタン８０７〜８０９に対するタッチ操作や、操作部７０に含まれる各種操作部材の操作によって設定された設定値で撮影される。
【０１０３】
以上、説明した実施形態によれば、項目の表示内容を確認できるようにしつつ、タッチ操作をする際にユーザの意図しない処理が行われる可能性を低減させることができる。すなわち、タッチパネル上で位置の指定をする場合には、タッチ操作を受け付けるタッチボタンではなく情報を表示するガイドを表示すれば、ユーザはガイドの表示内容（タッチボタンの示す表示内容と同じ）を見ながらタッチ操作をすることができる。つまり、タッチボタンとしては表示しなくても、タッチボタンが示していたのと同じ設定情報を示すガイドとして情報を表示するのでユーザはガイドを見ながら（現在の設定を確認して）タッチ位置の指定や撮影等の指示をすることができる。また、タッチパネル上でのタッチ可能範囲がタッチボタンによって狭まることなくＡＦ等の特定の処理をする指定をすることができる。さらにＩｎｆｏボタンの押下により容易に情報表示のパターン及びタッチボタン表示の有無を切り替えることができるので、同じ表示内容であっても、タッチ操作を受け付けないガイドとタッチ操作を受け付けるタッチボタンとを容易に切り替えることができる。すなわち、タッチボタンの表示と非表示を切り替えることで、Ｑボタン等のタッチボタンの表示、非表示が切り替わるだけでなく、基本撮影情報のＩＳＯ感度等を示す表示の状態をガイドとタッチボタンとのいずれかに切り替えることができる。
【０１０４】
このように、タッチ範囲が限られているような場合であっても、ガイドの表示に切り替えることで、タッチ可能な範囲が狭まることなく、ガイドを見ながらタッチ位置を指定するタッチ操作をすることができる。
【０１０５】
本実施形態では、タッチ操作が有効に設定されているとして説明をしたが、メニュー画面でタッチ操作の有効（タッチ有効状態）と、タッチに応じた処理をしない無効（タッチロック、タッチ無効状態）とを切替（タッチ操作の有効無効の設定）可能にしてもよい。タッチ操作が無効と設定されると、図７のＳ７０５で説明したＡＦ範囲へのタッチ操作を行ってもタッチ位置へのＡＦは行われず、タッチボタンも表示されない（ガイドとして表示をしてもよい）。
【０１０６】
なお、タッチ操作無効の場合はタッチ操作に応じた処理は行わないと説明したが、ＡＦ範囲へのタッチ操作は受け付け（タッチＡＦは行い）、タッチシャッターは受け付けないようにしてもよい。
【０１０７】
タッチ操作を無効にして、表示部２８へのタッチ操作に応じた処理が行われないようにすると、意図しないタッチ操作による誤動作を防ぐことができるが、位置の設定をする場合には操作性が低下する可能性がある。例えば、ＡＦ位置の設定はＬＶ画面上で直接被写体のある位置をタッチで指定できた方が、直感的であり、かつ十字キーやダイヤル等の操作部材で所望の位置を指定するよりも素早く位置の指定ができる。よって、タッチ操作自体を無効にしてしまうと、特にＡＦ位置の設定等を行う場合のユーザの操作性が低下する可能性がある。そこで、タッチ操作自体は有効とし、タッチ操作での位置の設定を可能にするが、項目の設定変更などの一部の処理についてはタッチで行えないようにすると意図しない設定や処理が行われる可能性を低減させることができる。例えば、ユーザが意図せず撮影に関する項目のタッチボタンをタッチし、ユーザが気付かないうちに設定値が変更され、そのまま撮影が行われるとユーザの所望でない画像が記録されてしまう。そこで、上述の実施形態のように、項目の設定値が意図せず変更されないようにすると、意図しない設定値のまま撮影が行われにくくなる。
【０１０８】
このように、タッチ操作の有効無効の設定とは別に、タッチボタンの表示非表示とを切り替えること（タッチ切替）ができるので、位置を指定するような一部のタッチ操作は受け付けるが、項目の設定値変更等のタッチ操作は受け付けないようにできる。このとき、タッチ操作を受け付け可能な項目としては表示されないが、項目の表示内容（設定内容）はガイドとして表示されるので、ユーザは項目の表示内容を確認しながら位置の設定をタッチで行うことができる。例えば、ＩＳＯ感度や絞りの値を見ながら、ＡＦ位置を設定する場合に、誤操作を防ぐためにタッチボタン自体を非表示にしてしまうとＩＳＯ感度を確認することができないが、ガイドとして表示することでＩＳＯ感度を確認しつつＡＦ位置の設定をすることができる。
【０１０９】
なお、ガイド表示とタッチボタンでの表示とを切り替え可能なものとして、本実施形態では、シャッタースピード、絞り、ＩＳＯ感度を示したが、これに限らずその他の設定項目の設定値をタッチボタンに切り替えられるようにしてもよい。すなわち、詳細撮影情報や、基本撮影情報のその他のガイドも設定変更可能なものであればタッチボタンに切り替えられるようにしてもよい。また、本実施形態ではマニュアルモード（Ｍ）の場合として基本撮影情報を示しており、ガイド８０２のうちタッチボタン８０８と８０９の間にある露出補正を示すガイドはタッチボタンとして表示していない。しかしＴｖモードや、Ａｖモードで、タッチボタンＯＮの場合には、露出補正を含むガイド８０２に含まれるすべての項目をタッチボタンとして表示してもよい。
【０１１０】
シャッタースピード、絞り、ＩＳＯ感度は互いに撮像の露出を変える要素であるので、まとめてガイドとタッチボタンとの切り替えをする。一方で、Ｑボタン、拡大ボタン、タッチシャッターは互いに特定の事象へと影響しあう要素ではないので、例えばＱボタンのみを表示させたり、拡大ボタンとタッチシャッターのみを表示させたりできるようにしてもよい。
【０１１１】
なお、タッチボタンへのタッチ操作を検出したことに応じてタッチボタンの表示形態を変更し、ＡＦ処理を受け付け可能な位置へのタッチ操作を検出したことに応じて枠等のマークを表示する。このように、表示をすることで、タッチボタンへのタッチが検出されたのか、ＡＦ処理をする位置の選択をするタッチ操作が検出されたのかユーザがすぐに分かる。
【０１１２】
なお、上述の各種実施形態では、ＡＦ処理を行う位置を指定する操作について説明をしたが、これに限らず様々な処理を行う位置（領域）の設定（選択）に適用可能である。例えば、特定の人物の顔に合焦する顔ＡＦ枠の選択や、拡大位置（ズームイン、ズームアウト）の選択等に適用可能である。さらに、ＡＥ（オートエクスポージャー、自動露光）、ＷＢ（ホワイトバランス）といった処理を行う際に、処理を行う際の基準となる被写体や位置や領域を選択する場合にも適用可能である。また、撮影に関する処理でなくても、編集画面等で色や効果等をかける位置を指定する場合や、複数の画像やサムネイルから所定のものを指定する場合にも適用可能である。
【０１１３】
なお、本実施形態では情報表示のパターンを４つとして説明したがこれに限らず、６つや３つでもよい。
【０１１４】
なお、電子機器の制御は１つのハードウェアが行ってもよいし、複数のハードウェアが処理を分担することで、装置全体の制御を行ってもよい。
【０１１５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１６】
また、上述した実施形態においては、本発明をデジタルカメラ１００に適用した場合を例にして説明したが、これはこの例に限定されず、タッチ位置の指定が可能なタッチパネルへの制御を行うことのできる電子機器であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、投影装置、表示部を有する家電装置等に適用可能である。
【０１１７】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006562832.tif 000002
【図２】
0006562832.tif 000003
【図３】
0006562832.tif 000004
【図４】
0006562832.tif 000005
【図５】
0006562832.tif 000006
【図６】
0006562832.tif 000007
【図７】
0006562832.tif 000008
【図８】
0006562832.tif 000009